(57)【要約】【課題】製造コストの低減と組立性の向上を図ることができるＬＥＤライトを提供すること。【解決手段】ＬＥＤ６と電子部品（ダイオード７やチップ抵抗８）を実装して成る基板３と、該基板３を収容するハウジング２と、前記基板３に電気的に接続された端子５及び前記ハウジング２の開口部２ａを覆うカバーレンズ４を備えたＬＥＤライト１において、前記端子５をインサート成形によって前記ハウジング２と一体化するとともに、該端子５の基板接続側端部５ｂを当該端子５へのコネクタ挿入方向に対して直角に折り曲げ、該基板接続側端部５ｂを前記基板３に形成された孔３ａに差し込んで該基板３に接続する。又、前記端子５の基板接続側端部５ｂの基端部を同端子５のコネクタ接続側端部５ａに対して下方にεだけオフセットするとともに、該基端部を樹脂の肉盛部２ｅで覆う。【選択図】図５
2019091554.tif 000002
【特許請求の範囲】
【請求項１】
ＬＥＤと電子部品を実装して成る基板と、該基板を収容するハウジングと、前記基板に電気的に接続された端子及び前記ハウジングの開口部を覆うカバーレンズを備えたＬＥＤライトにおいて、
前記端子をインサート成形によって前記ハウジングと一体化するとともに、該端子の基板接続側端部を当該端子へのコネクタ挿入方向に対して直角に折り曲げ、該基板接続側端部を前記基板に形成された孔に差し込んで該基板に接続したことを特徴とするＬＥＤライト。
【請求項２】
前記端子の基板接続側端部の基端部を同端子のコネクタ接続側端部に対して下方にオフセットするとともに、該基端部を樹脂の肉盛部で覆ったことを特徴とする請求項１記載のＬＥＤライト。
【請求項３】
ＬＥＤと電子部品を実装して成る基板と、該基板を収容するハウジングと、前記基板に電気的に接続された端子及び前記ハウジングの開口部を覆うカバーレンズを備えたＬＥＤライトの組立方法であって、
前記端子がインサート成形によって一体化された前記ハウジングの基板収納部に、前記端子の直角に折り曲げられた基板接続側端部を臨ませ、
前記ハウジングの基板収納部の上面に開口する開口部から前記基板を前記基板収納部に上方から収納して該基板の孔に前記端子の基板接続側端子を差し込んで固定し、
前記ハウジングの基板収納部に前記カバーレンズを上方から被せて固定することを特徴とするＬＥＤライトの組立方法。
【発明の詳細な説明】
【技術分野】
【０００１】
本発明は、ＬＥＤ（発光ダイオード）を光源とするＬＥＤライトとその組立方法に関するものである。
【背景技術】
【０００２】
近年、省電力で高寿命であるＬＥＤを光源として使用するＬＥＤライトが増えつつある。斯かるＬＥＤライトは、その光の指向性の高さからスポットライト的な照明に適しており、例えばフットライトやカップホルダライト、グローボックスライト等の車載用室内照明に供されている。斯かるＬＥＤライトに関して、特許文献１には図７及び図８に示すものが提案されている。
【０００３】
即ち、図７は特許文献１において提案されたＬＥＤライトの分解斜視図、図８は同ＬＥＤライトの基板の部分裏面図である。
【０００４】
図７に示すＬＥＤライト１０１は、カプラー一体型のハウジング１０２基板１０３をスライドによって嵌め込んで固定するとともに、ハウジング１０２の一部を覆うカバーレンズ１０４をハウジング１０２に基板１０３と同方向にスライドさせて嵌め込んで固定することによって構成されている。
【０００５】
上記ハウジング１０２には、基板収納部１０２Ａとカプラー部１０２Ｂとが設けられており、基板収納部１０２Ａの両側部下部の相対向する箇所には係合突起１０２ｃがそれぞれ突設されている。
【０００６】
又、ハウジング１０２の基板収納部１０２Ａの両側部内面の相対向する箇所には、断面矩形の嵌合溝１０２ｃが長手方向に沿ってそれぞれ水平に形成されている。尚、ハウジング１０２の基板収納部１０２Ａとカプラー部１０２Ｂとを区画する不図示の縦壁には左右２つの貫通孔（不図示）が貫設されている。
【０００７】
前記基板１０３の表面には、光源であるＬＥＤ１０６と電子部品であるダイオード１０７やチップ抵抗１０８が実装されている。又、この基板１０３の裏面には、図８に示すように、左右２本の端子１０５がハンダ付けによって取り付けられており、各端子１０５の端部は、ハンダ付けによって基板１０３に電気的に接続されている。ここで、端子１０５は、基板１０３から水平に延び、ハウジング１０２の不図示の縦壁に形成された不図示の貫通孔を貫通してハウジング１０２のカプラー部１０２Ｂの内部に臨んでいる。
【０００８】
前記カバーレンズ１０４は、ハウジング１０２の基板収納部１０２Ａの外側にスライドによって被せられるものであって、その左右両側部の下端には、内側に向かって直角に延びる不図示の嵌合リブが長手方向に沿って形成されており、これらの嵌合リブの所定箇所（ハウジング１０２に形成された前記係合突起１０２ｂに対応する箇所）には、矩形切欠状の係合凹部１０４ａがそれぞれ形成されている。
【０００９】
而して、ＬＥＤライト１０１の組み立てに際しては、先ず、基板１０３がハウジング１０２の基板収納部１０２Ａの一端開口部から差し込まれて組み付けられる。即ち、基板１０３の左右両端部をハウジング１０２の基板収納部１０２Ａに形成された左右の嵌合溝１０２ｃに嵌め込み、該基板１０３を奥側にスライドさせれば、基板１０３がハウジング１０２の基板収納部１０２Ａに収容されて固定される。このように基板１０３をハウジング１０２の基板収納部１０２Ａに嵌め込んで収納した状態では、基板１０３から水平に延びる左右２本の端子１０５は、ハウジング１０２の縦壁に形成された２つの不図示の貫通孔をそれぞれ貫通してハウジング１０２のカプラー部１０２Ｂの内部に臨む。
【００１０】
次に、カバーレンズ１０４をハウジング１０２の基板収納部１０２Ａの外面に嵌め込み、該カバーレンズ１０４を基板１０３のスライド方向と同方向にスライドさせると、該カバーレンズ１０４に形成された左右２つの係合凹部１０４ａにハウジング１０２の基板収納部１０２Ａの両側部に突設された係合突起１０２ｂが係合するため、カバーレンズ１０４がハウジング１０２の基板収納部１０２Ａを外側から覆うように被着され、製品としてのＬＥＤライト１０１が組み立てられる。
【先行技術文献】
【特許文献】
【００１１】
【特許文献１】特許第５６８７５９９号公報
【発明の概要】
【発明が解決しようとする課題】
【００１２】
しかしながら、特許文献１において提案された図７に示すＬＥＤライト１０１においては、左右２本の端子１０５が基板１０３に固定されているため、当該ＬＥＤライト１０１の組み立てに際して基板１０３をハウジング１０２にスライドによって収納するとき、２本の端子１０５とハウジング１０２の縦壁に形成された左右２つの貫通孔の位置精度が悪い場合には、端子１０５を貫通孔にスムーズに通すことができず、組立性が悪化するという問題がある。
【００１３】
又、ハウジング１０２に基板１０３が嵌合するための嵌合溝１０２ｃをスライド型を用いて形成する必要があるため、金型費が嵩んで製造コストが高くなるという問題もある。又、図８に示すように、左右２本の端子１０５を基板１０３の裏面にハンダ付けによって固定する必要があるため、作業工数が増えて製造コストが高くなる要因となる。
【００１４】
本発明は上記問題に鑑みてなされたもので、その目的とする処は、製造コストの低減と組立性の向上を図ることができるＬＥＤライト及びその組立方法を提供することにある。
【課題を解決するための手段】
【００１５】
上記目的を達成するため、請求項１記載の発明は、ＬＥＤと電子部品を実装して成る基板と、該基板を収容するハウジングと、前記基板に電気的に接続された端子及び前記ハウジングの開口部を覆うカバーレンズを備えたＬＥＤライトにおいて、
前記端子をインサート成形によって前記ハウジングと一体化するとともに、該端子の基板接続側端部を当該端子へのコネクタ挿入方向に対して直角に折り曲げ、該基板接続側端部を前記基板に形成された孔に差し込んで該基板に接続したことを特徴とする。
【００１６】
請求項２記載の発明は、請求項１記載の発明において、前記端子の基板接続側端部の基端部を同端子のコネクタ接続側端部に対して下方にオフセットするとともに、該基端部を樹脂の肉盛部で覆ったことを特徴とする。
【００１７】
請求項３記載の発明は、ＬＥＤと電子部品を実装して成る基板と、該基板を収容するハウジングと、前記基板に電気的に接続された端子及び前記ハウジングの開口部を覆うカバーレンズを備えたＬＥＤライトの組立方法であって、
前記端子がインサート成形によって一体化された前記ハウジングの基板収納部に、前記端子の直角に折り曲げられた基板接続側端部を臨ませ、
前記ハウジングの基板収納部の上面に開口する開口部から前記基板を前記基板収納部に上方から収納して該基板の孔に前記端子の基板接続側端子を差し込んで固定し、
前記ハウジングの基板収納部に前記カバーレンズを上方から被せて固定することを特徴とする。
【発明の効果】
【００１８】
請求項１記載の発明によれば、端子はインサート成形によってハウジングと一体化されているため、当該ＬＥＤライトの組み立てに際して、この端子をハウジングの貫通孔に通す従来の作業が不要となり、当該ＬＥＤライトの組立性が高められる。そして、ハウジングと一体化された端子の直角に折り曲げられた基板接続側端部を、基板に形成された孔に差し込むことによって、該端子を基板に簡単に電気的に接続することができる。
【００１９】
又、ハウジングには、基板をスライドさせて収納するための係合溝を設ける必要がないため、係合溝を形成するためのスライド型が不要となり、金型費が低く抑えられて当該ＬＥＤライトの製造コストが低く抑えられる。更に、端子をハンダ付けによって基板に固定する作業が不要となるため、このことによっても当該ＬＥＤライトの製造コストが低く抑えられる。
【００２０】
請求項２記載の発明によれば、端子の基板接続側端部の基端部を同端子のコネクタ接続側端部に対して下方にオフセットするとともに、該基端部を樹脂の肉盛部で覆ったため、端子のコネクタ接続側端部にコネクタを接続する際に同端子の基板接続側端部の基端部に作用する応力が緩和され、当該端子の耐久性が高められる。又、端子の基板接続側端部の位置精度が高められるため、この基板接続側端部の基板の孔への差し込みがスムーズになされて当該ＬＥＤランプの組立性が高められる。
【００２１】
請求項３記載の発明によれば、インサート成形によって端子が予め一体化されたハウジングの開口部から基板を基板収納部に上方から収納して該基板の孔に端子の基板接続側端子を差し込んで固定した後、ハウジングの基板収納部にカバーレンズを上方から被せることによってＬＥＤライトを簡単に作業性良く組み立てることができる。
【図面の簡単な説明】
【００２２】
【図１】本発明に係るＬＥＤライトの斜視図である。
【図２】本発明に係るＬＥＤライトの分解斜視図である。
【図３】本発明に係るＬＥＤライトのハウジングの斜視図である。
【図４】本発明に係るＬＥＤライトのハウジングの平面図である。
【図５】図４のＡ−Ａ線断面図である。
【図６】（ａ），（ｂ）は本発明に係るＬＥＤライトの組立方法をその工程順に示す斜視図である。
【図７】特許文献１において提案されたＬＥＤライトの分解斜視図である。
【図８】特許文献１において提案されたＬＥＤライトの基板の部分裏面図である。
【発明を実施するための形態】
【００２３】
以下に本発明の実施の形態を添付図面に基づいて説明する。
【００２４】
図１は本発明に係るＬＥＤライトの斜視図、図２は同ＬＥＤライトの分解斜視図、図３は同ＬＥＤライトのハウジングの斜視図、図４は同ＬＥＤライトのハウジングの平面図、図５は図４のＡ−Ａ線断面図である。
【００２５】
図１及び図２に示すＬＥＤライト１は、カプラー一体型のハウジング２に基板３を上方から嵌め込んで固定するとともに、ハウジング２の一部を覆うカバーレンズ４をハウジング２に基板３と同様に上方から嵌め込んで固定することによって構成されている。
【００２６】
上記ハウジング２は、光不透過性樹脂によって２段の矩形筒状に一体成形されており、その一部（図３〜図５の左半分）は基板収納部２Ａを構成し、他の部分（図３〜図５の右半分）はカプラー部２Ｂを構成している。そして、このハウジング２の基板収納部２Ａの上面には、矩形の開口部２ａが形成されており、カプラー部２Ｂの長手方向一端（図５の右端）は、不図示のカプラーを差し込むための矩形の開口部２ｂ（図５参照）が形成されている。又、基板収納部２Ａの両側部下部の相対向する箇所には、図３及び図４に示すように、コの字状を成す係合爪２ｃがそれぞれ一体に突設されている。
【００２７】
ところで、ハウジング２には、金属製の左右２本の端子５がインサート成形によって一体化されており、各端子５は、ハウジング２を構成する光不透過性樹脂によって密着固定されている。これらの端子５は、図５に示すように、ハウジング２の基板収納部２Ａとカプラー部２Ｂとを区画する縦壁２ｄを貫通して互いに平行且つ水平に配置されており、その一端（図５の右側）のカプラー接側端部５ａは、ハウジング２のカプラー部２Ｂの内部に臨んでいる。そして、端子５の他方（図５の左側）の基板接続側端部５ｂは、ハウジング２の基板収納部２Ａの内部に臨んでいるが、この基板接続側端部５ｂは、当該端子５へのコネクタ挿入方向（図５の水平左方向）に対して直角上方にＬ字状に折り曲げられている。ここで、図５に示すように、端子５の基板接続側端部５ｂの基端部は、同端子５のコネクタ接続側端部５ａに対して下方にεだけオフセットしており、このオフセットした基端部は、ハウジング２を構成する樹脂の肉盛部２ｅで覆われている。そして、端子５の水平に延びる部分は、ハウジング２の基板収納部２Ａ内に露出しており、底面部分がハウジング２を構成する光不透過性樹脂と接している。或いは、端子５の底面部分は、ハウジング２の基板収納部２Ａを構成する光不透過性樹脂に埋まっていると同時に、上面部分は、基板収納部２Ａ内に露出している。
【００２８】
前記基板３には、図２に示すように、光源であるＬＥＤ５と電子部品であるダイオード７やチップ抵抗８が実装されている。そして、基板３のチップ抵抗８に隣接する左右２箇所には、円形の孔３ａが形成されており、これらの孔３ａの間隔は、端子５のＬ字状に折り曲げられた基板接続側端部５ｂの間隔に等しく設定されている。
【００２９】
前記カバーレンズ４は、透明な光透過性樹脂によって一体に形成されており、図２に示すように、フランジ部４Ａの上面には略円柱状の配光用レンズ部４Ｂが突設され、フランジ部４Ａの下方にはキャップ部４Ｃが形成されている。ここで、キャップ部４Ｃは、ハウジング２の基板収納部２Ａに上方から被せられる部分であって、その下面が開口する矩形箱状に成形されている。
【００３０】
又、図２に示すように、レンズカバー４のキャップ部４Ｃの左右両側部の相対向する箇所（ハウジング２の基板収納部２Ａの両側部に突設された前記係合爪２ｃに対応する箇所）には、矩形の係合孔４ａがそれぞれ形成されている。
【００３１】
次に、以上のように端子５が一体化されたハウジング２と基板３及びカバーレンズ４によって構成されるＬＥＤライト１の組立方法を図６（ａ），（ｂ）に基づいて以下に説明する。
【００３２】
図６（ａ），（ｂ）は本発明に係るＬＥＤライト１の組立方法をその工程順に示す斜視図であり、ＬＥＤライト１の組み立てに際しては、先ず、図６（ａ）に示すように、インサート成形によって端子５が一体化されたハウジング２の基板収納部２Ａに開口する開口部２ａから基板３が上方から嵌め込まれて固定される。このとき、基板３に形成された２つの孔３ａには、左右２つの端子５のＬ字状に屈曲して垂直上方に延びる基板接続側端部５ｂの先端部が差し込まれ、この差し込まれた部分がハンダ付けによって基板３に電気的に接続される。
【００３３】
次に、図６（ｂ）に示すように、カバーレンズ４のキャップ部４Ｃをハウジング２の基板収納部２Ａの外面に上方から嵌め込むと、該カバーレンズ４のキャップ部４Ｃに形成された左右２つの係合孔４ａにハウジング２の基板収納部２Ａの両側部に突設された係合爪２ｃが係合するため、カバーレンズ４がハウジング２の基板収納部２Ａを外側から覆うように被着され、図１に示す製品としてのＬＥＤライト１が組み立てられる。このとき、ハウジング２の基板収納部２Ａの上面に形成された開口部２ａはカバーレンズ４によって覆われる。尚、係合爪２ｃは、カバーレンズ４の係合孔４ａにスムーズに係合するように、上下方向に傾斜する傾斜面を有している。
【００３４】
以上のようにして組み立てられたＬＥＤライト１において、不図示の電源から端子５及び基板３の不図示の回路を経てＬＥＤ６に電流が供給されると、該ＬＥＤ６が発光し、その光は上方に向かって出射される。そして、この光は、ハウジング２の基板収納部２Ａに形成された開口部２ａとカバーレンズ４の配光用レンズ部４Ｂを通過することによって配光が制御されつつ上方に向かって出射されて照明に供される。
【００３５】
而して、本発明に係るＬＥＤライト１によれば、端子５はインサート成形によってハウジング２と一体化されているため、当該ＬＥＤライト１の組み立てに際して、この端子５をハウジング２の貫通孔に通すという従来の作業が不要となり、当該ＬＥＤライト１の組立性が高められる。そして、ハウジング２と一体化された端子５の直角に折り曲げられた基板接続側端部５ｂを、基板３に形成された孔３ａに差し込むことによって、該端子５を基板に簡単に電気的に接続することができる。
【００３６】
又、ハウジング２には、基板３をスライドさせて収納するための係合溝を設ける必要がないため、係合溝を形成するためのスライド型が不要なり、金型費が低く抑えられて当該ＬＥＤライト１の製造コストが低く抑えられる。更に、端子５をハンダ付けによって基板３に固定する作業が不要となるため、このことによっても当該ＬＥＤライト１の製造コストが低く抑えられる。
【００３７】
そして、本実施の形態に係るＬＥＤライト１においては、図５に示すように、端子５の基板接続側端部５ｂの基端部を同端子５のコネクタ接続側端部５ａに対して図示のεだけ下方にオフセットするとともに、該基端部を樹脂の肉盛部２ｅで覆ったため、端子５のコネクタ接続側端部２ｂに不図示のコネクタを接続する際に同端子５の基板接続側端部２ｂの基端部に作用する応力が緩和され、当該端子５の耐久性が高められる。又、端子５の基板接続側端部５ｂの位置精度が高められるため、この基板接続側端部５ｂの基板３の孔３ａへの差し込みがスムーズになされて当該ＬＥＤランプ１の組立性が高められる。
【００３８】
更に、本実施の形態に係るＬＥＤライト１の組立方法によれば、インサート成形によって端子５が予め一体化されたハウジング２の開口部２ａから基板３を基板収納部２Ａに上方から収納して該基板３の孔３ａに端子５の基板接続側端子５ｂを差し込んで固定した後、ハウジング２の基板収納部２Ａにカバーレンズ４を上方から被せることによってＬＥＤライト１を簡単に作業性良く組み立てることができる。
【産業上の利用可能性】
【００３９】
本発明に係るＬＥＤライトは、車室内の照明（フットライト、カップホルダライト、グローブボックスライ用、アンビエントライト、読書ライト、ラゲッジルームライト）の他、防水構造とすれば外装品に対しても応用が可能である。
【符号の説明】
【００４０】
１          ＬＥＤライト
２          ハウジング
２Ａ        ハウジングの基板収納部
２Ｂ        ハウジングのカプラー部
２ａ，２ｂ  ハウジングの開口部
２ｃ        ハウジングの係合爪
２ｄ        ハウジングの縦壁
２ｅ        ハウジングの肉盛部
３          基板
３ａ        基板の孔
４          カバーレンズ
４Ａ        カバーレンズのフランジ部
４Ｂ        カバーレンズの配光用レンズ部
４Ｃ        カバーレンズのキャップ部
４ａ        カバーレンズの係合孔
５          端子
５ａ        端子のカプラー接続側端部
５ｂ        端子の基板接続側端部
６          ＬＥＤ
７          ダイオード（電子部品）
８          チップ抵抗（電子部品）
【図１】
2019091554.tif 000003
【図２】
2019091554.tif 000004
【図３】
2019091554.tif 000005
【図４】
2019091554.tif 000006
【図５】
2019091554.tif 000007
【図６】
2019091554.tif 000008
【図７】
2019091554.tif 000009
【図８】
2019091554.tif 000010